(57)【要約】【課題】異なった使用者に対応するため、椅子組立体の座席を前後に移動することができる、座席調整装置を具備する椅子を提供する。【解決手段】  椅子組立体は、支持フレームと、背もたれフレームと、座席フレームと、座席調整装置とを具備する。背もたれフレームは支持フレームに取り付けられる。座席フレームは支持フレームに枢着状態に連結される。座席調整装置が支持フレームと前記座席フレーム間に取り付けられる。座席調整装置を操作することによって、座席フレームを支持フレームに対して前後方向に相対的に移動する。従って、座席フレームと背もたれフレーム間の距離を、異なる使用者に対して対応できるように調整できる。【選択図】図１
2012139423.tif 000002
【特許請求の範囲】
【請求項１】
（１）それぞれ前端部と後端部とを有する２つの棒状取付部材と、
同棒状取付部材の前端部に回転自在に取り付けられかつ２つの端部を有する枢軸とを具備する支持フレームと、
（２）前記支持フレームの前記棒状取付部材に固着される背もたれフレームと、
（３）前記支持フレームに枢着され、
棒状座席部材と、
前記枢軸の端部にそれぞれ固着され、前記棒状座席部材に枢着される２つの前部連結部材とを具備する座席フレームと、
前記支持部材の前記棒状取付部材にそれぞれ枢着され、かつ、前記棒状座席部材に枢着される２つの後部連結部材と、
（４）前記支持フレームと前記座席フレーム間に取り付けられ、前記支持フレームに対して前後方向に前記棒状座席部材を移動するため、前記枢軸を選択的に回転させる座席調整装置であって、
前記支持フレームの棒状取付部材の一方に枢着されるヒンジと、
前記ヒンジに回転自在に取り付けられている連結端部と、同連結端部に対向する位置に設けられた調整端部とを具備する調整ボルトと、
前記調整ボルト周りに移動自在に螺着されるナットと、
前記ナットに枢着され前記ヒンジと対向する前記他の棒状取付部材に枢着される伝達リンク部と、を具備する座席調整装置と、
（５）２つの端部を有し、一端部が前記伝達リンク部に枢着され、他端部が前記枢軸に枢着されている被駆動リンク部材と、を具備する椅子組立体。
【請求項２】
前記各棒状取付部材は、さらに、前記棒状取付部材の前記前端部から横断方向に突出する枢支筒を具備し、
前記枢軸は、前記棒状取付部材の前記枢支筒に、貫通状態に、回転自在に取り付けられていることを特徴とする請求項１記載の椅子組立体。
【請求項３】
前記棒状取付部材の一方は、さらに、前記棒状取付部材に形成した枢支ブラケットを具備し、
前記ヒンジは前記枢支ブラケットに枢着されることを特徴とする請求項２記載の椅子組立体。
【請求項４】
前記棒状取付部材の一方は、さらに、同棒状取付部材に形成された枢支部を具備し、  
前記伝達リンク部はＬ字状をなし、第１連結端部が前記ナットに枢着状態に連結され、第２連結端部が前記棒状取付部材に取り付けた枢支部に枢着状態に連結された第１リンクと、
前記第１リンクに固着されかつ前記第１リンクから直角に突出し、前記第１リンクの前記第２連結端部に固着される第１リンク端部と、前記被駆動リンク部材の一端に枢着される第２リンク端部を具備する第２リンクとを具備することを特徴とする請求項３記載の椅子組立体。
【請求項５】
前記枢軸は、さらに、前記枢軸上に形成されかつ前記枢軸から半径方向に突出する作動部材を具備し、
前記被駆動リンク部材が、前記枢軸の前記作動部材に緩く枢着され、前記被駆動リンク部材が、縦揺動および僅かに横揺動可能であることを特徴とする請求項４に記載の椅子組立体。
【発明の詳細な説明】
【技術分野】
【０００１】
本発明は椅子組立体、特に、座席調整装置を具備する椅子組立体に関する。椅子組立体の座席は、異なった使用者に対応できるように前後に移動できる。
【背景技術】
【０００２】
椅子は、人々の日常生活で一般に用いられる主要な家具であり、座ることによって、快適でかつ楽な姿勢をとることができる。
従来の椅子は、支持台と、座席と、背もたれと、２つの肘掛とを具備する。座席は支持台に取り付けられている。背もたれは、座席の後方において、支持台に取り付けられている。２つの手摺は座席上に対向状態に取り付けられている。
【０００３】
椅子の使用者が異なる毎に、使用者は、それぞれ異なった姿勢と位置をとる。比較的足が長い人の場合、大腿部が完全に座席によって支持されるためには、座席と背もたれとの間により長い空間を必要とする。一方、比較的足が短い人の場合、背もたれに快適にもたれかかるためには、座席を背もたれに近づける必要がある。
【０００４】
しかし、従来の椅子の座席と背もたれ間の距離は、異なる使用者に対応して変えることができない。
本発明は上記した問題を解決するためなされたものであり、上記した問題を緩和し又は回避することができる椅子調整機能を有する椅子組立体を提供することを目的とする。
【先行技術文献】
【特許文献】
【０００５】
【特許文献１】特許公開２００４−１２１８６９号公報
【発明の概要】
【発明が解決しようとする課題】
【０００６】
本発明の主な目的は、座席調整装置を具備する椅子を提供することにある。異なった使用者に対応するため、椅子組立体の座席を前後に移動することができる。
本発明に係る椅子組立体は、支持フレーム、背もたれフレーム、座席フレームおよび座席調整装置を具備する。背もたれフレームは、支持フレームに取り付けられている。座席フレームは、台フレームに枢着されている。座席調整装置は、台フレームと座席フレーム間に取り付けられ、棒状座席部材を、台フレームに対して前後に動かすように操作することができる。従って、座席フレームと背もたれフレーム間の距離は、異なる使用者に対して対応するように調整可能である。
【課題を解決するための手段】
【０００７】
本発明は下記の特徴を有する。
１．
（１）それぞれ前端部と後端部とを有する２つの棒状取付部材と、
同棒状取付部材の前端部に回転自在に取り付けられかつ２つの端部を有する枢軸とを具備する支持フレームと、
（２）前記支持フレームの前記棒状取付部材に固着される背もたれフレームと、
（３）前記支持フレームに枢着され、
棒状座席部材と、
前記枢軸の端部にそれぞれ固着され、前記棒状座席部材に枢着される２つの前部連結部材とを具備する座席フレームと、
前記支持部材の前記棒状取付部材にそれぞれ枢着され、かつ、前記棒状座席部材に枢着される２つの後部連結部材と、
（４）前記支持フレームと前記座席フレーム間に取り付けられ、前記支持フレームに対して前後方向に前記棒状座席部材を移動するため、前記枢軸を選択的に回転させる座席調整装置であって、
前記支持フレームの棒状取付部材の一方に枢着されるヒンジと、
前記ヒンジに回転自在に取り付けられている連結端部と、同連結端部に対向する位置に設けられた調整端部とを具備する調整ボルトと、
前記調整ボルト周りに移動自在に螺着されるナットと、
前記ナットに枢着され前記ヒンジと対向する前記他の棒状取付部材に枢着される伝達リンク部と、を具備する座席調整装置と、
（５）２つの端部を有し、一端部が前記伝達リンク部に枢着され、他端部が前記枢軸に枢着されている被駆動リンク部材と、を具備する椅子組立体。
２．前記各棒状取付部材は、さらに、前記棒状取付部材の前記前端部から横断方向に突出する枢支筒を具備し、
前記枢軸は、前記棒状取付部材の前記枢支筒に、貫通状態に、回転自在に取り付けられていることを特徴とする１記載の椅子組立体。
３．前記棒状取付部材の一方は、さらに、前記棒状取付部材に形成した枢支ブラケットを具備し、
前記ヒンジは前記枢支ブラケットに枢着されることを特徴とする２記載の椅子組立体。
４．前記棒状取付部材の一方は、さらに、同棒状取付部材に形成された枢支部を具備し、  
前記伝達リンク部はＬ字状をなし、第１連結端部が前記ナットに枢着状態に連結され、第２連結端部が前記棒状取付部材に取り付けた枢支部に枢着状態に連結された第１リンクと、
前記第１リンクに固着されかつ前記第１リンクから直角に突出し、前記第１リンクの前記第２連結端部に固着される第１リンク端部と、前記被駆動リンク部材の一端に枢着される第２リンク端部を具備する第２リンクとを具備することを特徴とする３記載の椅子組立体。
５．前記枢軸は、さらに、前記枢軸上に形成されかつ前記枢軸から半径方向に突出する作動部材を具備し、
前記被駆動リンク部材が、前記枢軸の前記作動部材に緩く枢着され、前記被駆動リンク部材が、縦揺動および僅かに横揺動可能であることを特徴とする４に記載の椅子組立体
【０００８】
本発明のその他の目的および特徴は、図面を参照してなされる以下の記載によって、より明らかなものとなる。
【図面の簡単な説明】
【０００９】
【図１】本発明に係る座席調整装置を具備する椅子組立体の底面側からみた斜視図である。
【図２】図１に示す椅子の側面図である。
【図３】図２に示す椅子組立体の、座席フレーム、背もたれフレームおよび座席調整装置の側面図である。
【図４】図３に示す椅子組立体の、座席フレーム、背もたれフレームおよび座席調整装置の底面図である。
【図５】図３に示す椅子組立体の、座席フレーム、背もたれフレームおよび座席調整装置の動作を説明するための側面図である。
【図６】図４に示す椅子組立体の、座席フレーム、背もたれフレームおよび座席調整装置の動作を説明するための側面図である。
【図７】図３に示す椅子組立体の、座席フレーム、背もたれフレームおよび座席調整装置の動作を説明するための側面図である。
【図８】図４に示す椅子組立体の、座席フレーム、背もたれフレームおよび座席調整装置の他の動作を説明するための側面図である。
【発明を実施するための形態】
【００１０】
図１から図４を参照して説明すると、本発明に係る椅子組立体は、支持フレーム１０、背もたれフレーム２０、座席フレーム３０、座席調整装置５０、および支持脚６０とを具備する。
【００１１】
支持フレーム１０は、一対の棒状取付部材１１と枢軸１３とを有する。
各棒状取付部材１１はそれぞれ前端部と後端部を有し、さらに、枢支筒１２を有する。枢支筒１２は、棒状取付部材１１の前端部に形成され又は取り付けられ、棒状取付部材１１の前端部から横断方向に伸延する。一方の棒状取付部材１１には枢支ブラケット１１１が取り付けられ、他方の棒状取付部材１１には棒状取付部材１１に枢支部１１２が設けられている。
【００１２】
枢軸１３が、棒状取付部材１１の前端部に回転自在に取り付けられている。枢軸１３は、棒状取付部材１１の枢支筒１２に、貫通状態にかつ回転自在に取り付けられている。枢軸１３は、２つの端部を有し、さらに、枢軸１３上に作動部材１３１が形成され、同作動部材１３１は枢軸１３から半径方向に突出している。
【００１３】
背もたれフレーム２０は、支持フレーム１０の棒状取付部材１１に固着されている。
座席フレーム３０は支持フレーム１０に枢着されており、棒状座席部材３１と、２つの前部連結部材３２と、および２つの後部連結部材３３とを具備する。
棒状座席部材３１は環状の長方形状を有する。
【００１４】
前部連結部材３２は、それぞれ、枢軸１３の端部に固着されると共に、棒状座席部材３１に枢着されている。
後部連結部材３３は、それぞれ、支持フレーム１０の棒状取付部材１１に枢着されると共に、棒状座席部材３１に枢着されている。
【００１５】
座席調整装置５０が、支持フレーム１０と座席フレーム３０間に取り付けられている。座席調整装置５０は、枢軸１３を、その回転方向を選択しながら回転することによって、棒状座席部材３１を支持フレーム１０に対して、前後方向に相対的に移動するために設けられたものであり、ヒンジ５１と、調整ボルト５２と、ナット５３と、伝達リンク部と、被駆動リンク部材５６とを具備する。
【００１６】
ヒンジ５１は、支持フレーム１０の棒状取付部材１１の一方に枢着されており、具体的には枢支ブラケット１１１に枢着されている。
調整ボルト５２はヒンジ５１に回転自在に取り付けられ、連結端部と調整端部とを有する。さらに、調整ボルト５２はクランクハンドル５２１を有する。調整ボルト５２の連結端部はヒンジ５１に回転自在に取り付けられている。調整端部は、連結端部と反対側に設けられている。クランクハンドル５２１が調整端部に固着されているので、使用者は、クランクハンドル５２１を操作して調整ボルト５２を回転させることができる。
【００１７】
ナット５３が調整ボルト５２に移動自在に螺着されている。
伝達リンク部がナット５３に枢着されており、かつ、ヒンジ５１と反対側にある他方の棒状取付部材１１に枢着されている。伝達リンク部はＬ字形状を有し、第１リンク５４と第２リンク５５とを具備する。第１リンク５４は、第１連結端部と第２連結端部とを有する。第１連結端部はナット５３に枢着状態に連結され、第２連結端部は棒状取付部材１１に取り付けられた枢支部１１２に枢着状態に連結されている。第２リンク５５は、第１リンク５４に固着されかつ第１リンクから直交方向に突出し、第１リンク端部と第２リンク端部を有する。第１リンク端部は、第１リンク５４の第２連結端部に固着されている。
【００１８】
被駆動リンク部材５６は、２つの端部を有する。被駆動リンク部材５６の一方の端部は、伝達リンク部に枢着され、具体的には第２リンク５５の第２リンク端に枢着されている。被駆動リンク部材５６の他端は枢軸１３に枢着され、具体的には前記枢軸の前記作動部材１３１に緩く枢着状態に連結されている。従って、被駆動リンク部材５６は縦揺動やわずかに横揺動することができる。
支持脚６０が支持フレーム１０の下部に取り付けられており、椅子組立体を動きやすくするため複数のキャスターを取り付けてもよい。
【００１９】
図５と６を参照して説明すると、クランクハンドル５２１と調整ボルト５２を反時計方向に回転させると、被駆動リンク部材５６は後方へ移動する。被駆動リンク部材５６は、枢軸１３を回転させ、前部連結部材３２を枢軸１３周りに回転するので、棒状座席部材３１が背もたれ２０から離れて前方に移動する。
【００２０】
図７と８を参照して説明すると、クランクハンドル５２１と調整ボルト５２を時計方向に回転させると、被駆動リンク部材５６は前方へ移動する。被駆動リンク部材５６は、枢軸１３を回転させ、前部連結部材３２を枢軸１３周りに回転するので、棒状座席部材３１が背もたれ２０に向かって後方に移動する。
【００２１】
即ち、座席調整装置５０によって、使用者は、調整ボルト５２のクランクハンドル５２１を操作して、棒状座席部材３１を前後方向に移動ことができる。従って、棒状座席部材３１と背もたれフレーム２０間の距離を、異なる使用者に対応して調整することができる。
【産業上の利用可能性】
【００２２】
以上本発明の構造および機能の詳細を記載して、本発明の多くの特徴を説明してきたが、開示された内容は、一例に過ぎない。本発明は、特に形状やサイズ、あるいは部品の配置など、本発明の技術的思想の範囲内で、様々に変更することができる。即ち、添付の特許請求の範囲は広く解釈されるべきであり、請求項記載の発明は、それらの変容例を含むものである。
【符号の説明】
【００２３】
１０    支持フレーム
１１    棒状取付部材
１１１  枢支ブラケット
１１２  枢支部
１２    枢支筒
１３    枢軸
１３１    作動部材
２０    背もたれフレーム
３０    座席フレーム
３１    棒状座席部材
３２    前部連結部材
３３    後部連結部材
５０    座席調整装置
５１    ヒンジ
５２    調整ボルト
５２１  クランクハンドル
５３    ナット
５４    第１リンク
５５    第２リンク
５６    被駆動リンク部材
６０    支持脚
【図１】
2012139423.tif 000003
【図２】
2012139423.tif 000004
【図３】
2012139423.tif 000005
【図４】
2012139423.tif 000006
【図５】
2012139423.tif 000007
【図６】
2012139423.tif 000008
【図７】
2012139423.tif 000009
【図８】
2012139423.tif 000010